(57)【特許請求の範囲】
【請求項１】
表示部に表示する画像を切り替える指示を受付可能な受付手段と、
第１のアスペクト比の第１の画像と、前記第１の画像の画素数よりも少ない画素数の第２の画像と、前記第２の画像よりも画素数の少ない前記第１のアスペクト比の第３の画像とを少なくとも有する画像ファイルから画像を読み込み可能な読み込み手段と、
前記表示部に表示する画像を第１の画像ファイルの画像から第２の画像ファイルの画像へ切り替える切替指示に応じて、前記第２の画像ファイルの前記第２の画像が前記第２の画像ファイルの前記第１の画像と同じアスペクト比である場合には前記第２の画像ファイルの前記第２の画像を前記表示部に表示し、前記第２の画像ファイルの前記第２の画像が前記第２の画像ファイルの前記第１の画像と同じアスペクト比でない場合には前記第２の画像ファイルの前記第３の画像を前記表示部に表示するように制御する制御手段とを有することを特徴とする表示制御装置。
【請求項２】
前記制御手段は、前記切替指示が完了した後に前記表示部に前記第２の画像ファイルの前記第１の画像を表示するように制御することを特徴とする請求項１に記載の表示制御装置。
【請求項３】
前記第２の画像ファイルの前記第２の画像のアスペクト比と前記第２の画像ファイルに記録されたアスペクト比の情報より取得した前記第１のアスペクト比とを比較することにより、前記第２の画像ファイルの前記第２の画像が前記第２の画像ファイルの前記第１の画像と同じアスペクト比であるかを判定する判定手段をさらに有することを特徴とする請求項１または２に記載の表示制御装置。
【請求項４】
前記第２の画像ファイルにはさらにＲＡＷ画像があり、
前記第２の画像ファイルの前記第２の画像のアスペクト比と前記ＲＡＷ画像のアスペクト比とを比較することにより、前記第２の画像ファイルの前記第２の画像が前記第１のアスペクト比であるかを判定する判定手段をさらに有することを特徴とする請求項１または２に記載の表示制御装置。
【請求項５】
ユーザからの操作を受け付け可能な所定の操作部材をさらに有し、
前記制御手段は、前記所定の操作部材に対する操作量に応じた量、前記第２の画像ファイルの前記第２の画像または前記第３の画像を前記表示部の端から徐々に表示するように制御することを特徴とする請求項１乃至４の何れか１項に記載の表示制御装置。
【請求項６】
タッチパネルへのタッチ操作を検出可能なタッチ検出手段をさらに有し、
前記切替指示は、前記タッチパネルへのタッチ位置の移動の開始によって開始されることを特徴とする請求項１乃至５の何れか１項に記載の表示制御装置。
【請求項７】
前記制御手段は、前記タッチパネルへのタッチ位置の移動が開始されたことに応じて前記第２の画像ファイルの前記第２の画像または前記第３の画像を表示し、移動したタッチが前記タッチパネルから離されたことに応じて前記第２の画像ファイルの前記第２の画像または前記第３の画像から前記第１の画像へと切り替えることを特徴とする請求項６に記載の表示制御装置。
【請求項８】
前記第１の画像ファイルの画像から前記第２の画像ファイルの画像へ切り替える切替指示は、ボタンに対する操作によっても可能であり、ボタン操作による切替指示がされても前記第２の画像ファイルの前記第２の画像または前記第３の画像のいずれも表示せずに前記第１の画像ファイルの画像から前記第２の画像ファイルの画像へと切り替えることを特徴とする請求項６または７に記載の表示制御装置。
【請求項９】
前記第２の画像ファイルはＲＡＷ画像を記録した画像ファイルであることを特徴とする請求項１乃至８の何れか１項に記載の表示制御装置。
【請求項１０】
前記第１のアスペクト比は、前記第２の画像ファイルの前記第１の画像を撮像した際のセンサで記録可能な最大サイズのアスペクト比であることを特徴とする請求項１乃至９の何れか１項に記載の表示制御装置。
【請求項１１】
前記制御手段は、前記第２の画像ファイルに記録する画像のアスペクト比を設定可能な設定手段により前記第１のアスペクト比でないアスペクト比が設定され、該アスペクト比で前記第２の画像ファイルの前記第２の画像が記録された場合には、前記第２の画像ファイルの前記第３の画像を前記表示部に表示するように制御することを特徴とする請求項１乃至１０の何れか１項に記載の表示制御装置。
【請求項１２】
前記第２の画像ファイルに記録される画像の撮影時に、前記第２の画像ファイルの前記第１の画像は前記第１のアスペクト比で記録されることを特徴とする請求項１乃至１１の何れか１項に記載の表示制御装置。
【請求項１３】
前記制御手段は、前記第２の画像ファイルが、ＲＡＷ画像を撮影可能であり前記第２の画像を前記ＲＡＷ画像のアスペクト比で記録する第１の撮像制御装置により取得された画像ファイルである場合には、前記第２の画像ファイルへの前記切替指示がされたことに応じて、前記第２の画像ファイルの前記第２の画像を表示し、
前記第２の画像ファイルが、ＲＡＷ画像を撮影可能であり前記第２の画像を前記ＲＡＷ画像のアスペクト比とは異なるユーザに設定されたアスペクト比で記録する第２の撮像制御装置により取得された画像ファイルである場合には、前記第２の画像ファイルへの前記切替指示に応じて、前記第２の画像ファイルの前記第３の画像を表示するように制御することを特徴とする請求項１乃至１２の何れか１項に記載の表示制御装置。
【請求項１４】
前記第２の画像ファイルの前記第２の画像、前記第３の画像はＪＰＥＧ画像であることを特徴とする請求項１乃至１３の何れか１項に記載の表示制御装置。
【請求項１５】
表示部を有する表示制御装置の制御方法であって、
前記表示部に表示する画像を切り替える指示を受付可能な受付ステップと、
第１のアスペクト比の第１の画像と、前記第１の画像の画素数よりも少ない画素数の第２の画像と、前記第２の画像よりも画素数の少ない前記第１のアスペクト比の第３の画像とを少なくとも有する画像ファイルから画像を読み込み可能な読み込みステップと、
前記表示部に表示する画像を第１の画像ファイルの画像から第２の画像ファイルの画像へ切り替える切替指示に応じて、前記第２の画像ファイルの前記第２の画像が前記第２の画像ファイルの前記第１の画像と同じアスペクト比である場合には前記第２の画像ファイルの前記第２の画像を前記表示部に表示し、前記第２の画像ファイルの前記第２の画像が前記第２の画像ファイルの前記第１の画像と同じアスペクト比でない場合には前記第２の画像ファイルの前記第３の画像を前記表示部に表示するように制御する制御ステップとを有することを特徴とする表示制御装置の制御方法。
【請求項１６】
コンピュータを、請求項１乃至１４のいずれか１項に記載された表示制御装置の各手段として機能させるためのプログラム。
【請求項１７】
コンピュータを、請求項１乃至１４のいずれか１項に記載された表示制御装置の各手段として機能させるためのプログラムを格納したコンピュータが読み取り可能な記録媒体。
【発明の詳細な説明】
【技術分野】
【０００１】
本発明は、表示制御装置およびその制御方法に関し、特に表示部に表示する画像を異なる画像ファイルの画像に切り替える際の技術に関する。
【背景技術】
【０００２】
画像を記録する時には、ユーザの設定したアスペクト比にトリミングをして画像を記録する場合と、ユーザの設定したアスペクト比情報を記録しつつ画像はトリミングせずに記録する場合とがある。特許文献１には、記録されたアスペクト比が分かるように、ＲＡＷ画像は設定されたアスペクト比を示す線を画像上に表示することが提案されている。またＲＡＷ画像として記録された画像データの表示方法として、特許文献２にはＲＡＷ画像とは別に表示用画像を記録しておくことで素早く簡易的に画像を表示することが提案されている。
【先行技術文献】
【特許文献】
【０００３】
【特許文献１】特開２０１２−８０４２８号公報
【特許文献２】特開２０１４−５７２５０号公報
【発明の概要】
【発明が解決しようとする課題】
【０００４】
ユーザの指示に応じて、次々に表示する画像を切り替えながら再生をする画像切り替えをすることがある。ＲＡＷ画像は撮像素子のセンササイズに基づいたサイズで記録されるので、ユーザによりアスペクト比が設定されていても特許文献１のようにユーザに設定されたアスペクト比に関わらず、ＲＡＷ画像全体を表示すると表示画像がＲＡＷ画像であると分かりやすい。また、画像の切り替え時にユーザの操作量に応じて徐々に画像を切り替えていくような場合には、切替指示が開始したらすぐに切り替え後の画像を表示し始めなければユーザの操作性が低下するため素早く画像を表示することが求められる。よって、特許文献２のように表示用の画像を記録していても、表示したいアスペクト比の画像のサイズが大きい場合には読み込みに時間がかかってしまい画像送りの操作性が低下する可能性がある。
【０００５】
本発明は、上記の課題に鑑み、表示部に表示する画像を切替える指示がされたことに応じて、切り替え操作が終了した後の画像と同じアスペクト比の画像を表示部に素早く表示することを目的とする。
【課題を解決するための手段】
【０００６】
上記目的を達成するために、本発明の表示制御装置は、表示部に表示する画像を切り替える指示を受付可能な受付手段と、第１のアスペクト比の第１の画像と、前記第１の画像の画素数よりも少ない画素数の第２の画像と、前記第２の画像よりも画素数の少ない前記第１のアスペクト比の第３の画像とを少なくとも有する画像ファイルから画像を読み込み可能な読み込み手段と、前記表示部に表示する画像を第１の画像ファイルの画像から第２の画像ファイルの画像へ切り替える切替指示に応じて、前記第２の画像ファイルの前記第２の画像が前記第２の画像ファイルの前記第１の画像と同じアスペクト比である場合には前記第２の画像ファイルの前記第２の画像を前記表示部に表示し、前記第２の画像ファイルの前記第２の画像が前記第２の画像ファイルの前記第１の画像と同じアスペクト比でない場合には前記第２の画像ファイルの前記第３の画像を前記表示部に表示するように制御する制御手段とを有することを特徴とする。
【発明の効果】
【０００７】
本発明によれば、表示部に表示する画像を切替える指示がされたことに応じて、切り替え操作が終了した後の画像と同じアスペクト比の画像を表示部に素早く表示することができる。
【図面の簡単な説明】
【０００８】
【図１】本実施形態の構成を適用可能な装置の一例としてのデジタルカメラの外観図
【図２】本実施形態の構成を適用可能な装置の一例としてのデジタルカメラの構成例を示すブロック図
【図３】本実施形態における画像の再生処理を示すフローチャート
【図４】画像ファイルの構成の一例を示す図
【図５】本実施形態における表示の例を示す図
【発明を実施するための形態】
【０００９】
以下、図面を参照して本発明の好適な実施形態を説明する。
【００１０】
図１に本発明の表示制御装置の一例としてのデジタルカメラの外観図を示す。表示部２８は画像や各種情報を表示する表示部であり、タッチ操作を受付ける（タッチ検出可能）タッチパネル７０ａと一体となっている。シャッターボタン６１は撮影指示を行うための操作部である。モード切替スイッチ６０は各種モードを切り替えるための操作部である。操作部７０はユーザからの各種操作を受け付ける各種スイッチ、ボタン、タッチパネル等の操作部材より成る操作部である。十字キー７４は上下左右方向にキーがあり、それぞれ上キー７４ａ、下キー７４ｂ、右キー７４ｄ、左キー７４ｃのように配置されており、各方向に応じたカーソル移動や選択の変更をすることができる。コントローラホイール７３は操作部７０に含まれる回転操作可能な操作部材である。電源スイッチ７２は、電源オン、電源オフを切り替えるための押しボタンである。記録媒体２００はメモリカードやハードディスク等の不揮発性の記録媒体である。記録媒体スロット２０１は記録媒体２００を格納するためのスロットである。記録媒体スロット２０１に格納された記録媒体２００は、デジタルカメラ１００との通信が可能となり記録や再生が可能となる。蓋２０２は記録媒体スロット２０１の蓋である。図においては、蓋２０２を開けてスロット２０１から記録媒体２００の一部を取り出して露出させた状態を示している。
【００１１】
図２は、本実施形態によるデジタルカメラ１００の構成例を示すブロック図である。
【００１２】
図２において、撮影レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。撮像素子のアスペクト比（画角）は装置によって異なるが、本実施形態では３：２とする。ユーザは記録する画像のアスペクト比を設定して（設定可能）撮影をすることができる。また、ＲＡＷ画像を撮影する際にはアスペクト比を設定してもセンサフルサイズ（撮像部２２の記録可能な最大サイズの領域のアスペクト比）のアスペクト比で画像が記録される。ＲＡＷ画像は現像前の画像を示しており、ＪＰＥＧ画像を生成する前の画像処理や色の変換処理、圧縮を行っていないデータ量の大きな画像である。Ａ／Ｄ変換器２３は、撮像部２２から出力されるアナログ信号をデジタル信号に変換するために用いられる。
【００１３】
画像処理部２４は、Ａ／Ｄ変換器２３からのデータ、又は、メモリ制御部１５からのデータに対し所定の画素補間、縮小といったリサイズ処理や色変換処理を行う。Ａ／Ｄ変換器２３からの出力データは、画像処理部２４及びメモリ制御部１５を介して、或いは、画像処理部２４を介さずメモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示（ライブビュー画像表示）を行える。
【００１４】
不揮発性メモリ５６は、システム制御部５０によって電気的に消去・記録・読出し可能な記録媒体としてのメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのコンピュータプログラムのことである。
【００１５】
システム制御部５０は、少なくとも１つのプロセッサーを内蔵し、デジタルカメラ１００全体を制御する。前述した不揮発性メモリ５６に記録されたプログラムを実行することで、後述する本実施形態の各処理を実現する。システムメモリ５２には、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１３、表示部２８等を制御することにより表示制御も行う。
【００１６】
モード切替スイッチ６０、シャッターボタン６１、操作部７０はシステム制御部５０に各種の動作指示を入力するための操作手段である。モード切替スイッチ６０は、システム制御部５０の動作モードを静止画記録モード、動画撮影モード、再生モード等のいずれかに切り替える。モード切替スイッチ６０で、メニュー画面に含まれるこれらのモードのいずれかに直接切り替えられる。操作部７０のメニューボタンを押下するとメニュー画面が表示される。メニューにおいては撮影、記録、再生等に関する様々な設定をすることができる。例えば、上述したような記録する画像のアスペクト比を設定することもでき、アスペクト比としては例えば４：５、１：１、４：３、３：２、１６：９から選択することができる。また、ＲＡＷ画像かＪＰＥＧ画像か、ＲＡＷ＋ＪＰＥＧ画像かといった画像の記録サイズも設定することができる。
【００１７】
シャッターボタン６１の押下により、撮像部２２による静止画撮像動作、撮像部２２からの信号読み出しから記録媒体２００に画像データを書き込むまでの一連の撮影処理の動作を開始する。
【００１８】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。コントローラホイール７３は、操作部７０に含まれる回転操作可能な操作部材であり、方向ボタンと共に選択項目を指示する際などに使用される。操作部７０にはタッチパネル７０ａが含まれており、ユーザはタッチ操作によって様々な指示をすることができる。
【００１９】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２０】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影時に画像を記録するためのメモリカード等の不揮発性の記録媒体であり、半導体メモリや光ディスク、磁気ディスク等から構成される。
【００２１】
図３を用いて本実施形態における画像の再生処理について説明する。この処理は、不揮発性メモリ５６に記録されたプログラムをシステムメモリ５２に展開してシステム制御部５０が実行することで実現する。なお、この処理は、デジタルカメラ１００に電源が入り、再生モードが選択され、シングル再生になると開始する。シングル再生は表示部２８に画像が１枚表示されている状態を示しており、複数枚表示されているマルチ再生やスクロール再生は除く。後述する実施形態においてはセンサフルサイズのアスペクト比は３：２、記録時に設定したアスペクト比を１：１、表示部２８のアスペクト比を４：３として説明をするが、これは一例であり必ずしもこのようなアスペクト比でなくてよい。ＲＡＷ画像のアスペクト比とは撮像部２２の撮像素子が撮影可能な最大領域（フルサイズ）のアスペクト比であり、ＲＡＷ画像はフルサイズで記録される。
【００２２】
Ｓ３００では、システム制御部５０は、ユーザによる画像の切り替え指示（切替指示）がされたか否かを判定する。画像の切り替え指示は、表示部２８に画像が１枚表示されている状態からコントローラホイール７３が回転される、十字キー７４の左右キー７４ｃ・７４ｄを押下、タッチパネル７０ａにおける左右方向へのタッチムーブ（タッチ位置の移動）により行われる。このとき、コントローラホイール７３が左回転（左キー７４ｃ押下）であれば記録媒体２００に記録されている画像のうち表示中の画像の前のファイル番号の画像、右回転（右キー７４ｄ押下）であれば後のファイル番号の画像への切り替え指示となる。左方向へのタッチムーブであればファイル番号の後ろの画像、右方向へのタッチムーブであればファイル番号の前の画像への切り替え指示となり、タッチムーブがされた後タッチパネル７０ａからタッチが離されたことに応じて指示が終了したものとする。ユーザによる画像の切り替え指示がされたと判定した場合は、Ｓ３０１へ進み、そうでない場合は、Ｓ３１７へ進む。
【００２３】
Ｓ３０１では、システム制御部５０は、Ｓ３００で判定をした画像切り替え指示がタッチ操作によるものであったか否かを判定する。タッチ操作による画像切り替え指示であったと判定した場合は、Ｓ３０２へ進み、そうでない場合は、Ｓ３０９へ進む。タッチ操作で画像をタッチ位置の移動に応じてずらしながら徐々に画像の切り替えを行う場合には、切り替わり途中の画像を見ながらユーザが操作を行う。一方で、十字キー７４やコントローラホイール７３への操作で切り替え指示をする時には切り替え指示の操作がされたらすぐに次の画像へと切り替わる。よって、すぐに次の画像へと切り替える場合に表示用の次の画像を準備して表示をすればよいが、タッチ操作によって徐々に画像を切り替える際には、操作を開始した瞬間すぐに画像を表示しなければならない。操作の開始と共に次の画像を表示し、操作途中は、操作が完了する前であっても次の画像が何かをユーザに示す必要がある。つまり、切替指示の完了（終了）前に素早く表示でき、画像を認識できる程度の画素数の画像を表示して、切替指示が完了したらより視認性の高い高品質な画像を表示し直すようにすることで、操作性の良さと画像の品位とを保つことができる。言い換えれば、操作に応じて徐々に画像を切り替える場合には、切り替えの途中で中間画像、切り替え前の画像と切り替え後の画像との間に表示する簡易的な切替後の画像を示す画像を表示する。また中間画像はユーザの切り替え操作量に応じて表示部２８上で移動しながら表示されたりするので高品位でなくても視認性に与える影響は少ない。本実施形態ではボタン、ダイヤル、タッチと切り替え操作を受付可能であっても、タッチ操作の時には中間画像を表示するようにする。
【００２４】
Ｓ３０２では、システム制御部５０は、画像送り操作が完了したか否かを判定する。画像送り操作の完了とは、タッチムーブ後のタッチアップがされたか否かの判定であり、タッチアップがされたと判定した場合には画像送り操作が完了したものとし、まだタッチが離されていない場合には画像送り操作が完了していないものと判定する。画像送り操作が完了したと判定した場合は、Ｓ３０９へ進み、そうでない場合は、Ｓ３０３へ進む。
【００２５】
Ｓ３０３では、システム制御部５０は、次に切り替える画像がＲＡＷ画像か否かを判定する。ＲＡＷ画像か否かは図４（ａ）〜（ｃ）に示す画像ファイルの構成例のヘッダー情報領域４０１〜４０３やファイルの属性情報より取得する。図４（ａ）〜（ｃ）はそれぞれ異なる画像ファイルの構成例を示している。図４（ａ）、（ｂ）はＲＡＷ画像の画像ファイル構成であり、図４（ａ）は撮影時に設定されたアスペクト比で表示用のＪＰＥＧ画像を記録した画像ファイルａの画像ファイル構成である。また図４（ｂ）は撮影時に設定されたアスペクト比に関わらず表示用のＪＰＥＧ画像を記録した画像ファイルｂの画像ファイル構成である。図４（ｃ）はＪＰＥＧ画像の画像ファイル構成を示している。それぞれの画像ファイルの構成の詳細については後述する。次に切り替える画像がＲＡＷ画像であると判定した場合は、Ｓ３０５へ進み、そうでない場合は、Ｓ３０４へ進む。
【００２６】
Ｓ３０４では、システム制御部５０は、ＪＰＥＧの画像ファイルから表示用のＪＰＥＧ画像を読み込む。Ｓ３０４の処理は、Ｓ３０３においてＮｏ、すなわち次の画像がＪＰＥＧ画像として記録された（ＪＰＥＧファイル）場合の処理である。よって、図４（ｃ）の画像ファイルｃの表示用のＪＰＥＧ画像４０９ａを読み込む。言い換えると図５（ｂ）に示すようなアスペクト比１：１の表示用のＪＰＥＧ画像５０３（右側の画像）を読み込み、後述Ｓ３１６において表示部２８の大きさに合わせて画像５０４を表示する（左側の画像）。図５は、読み込んだ画像と実際にＳ３１６において表示される画像との関係を示した図である。図５の左側には表示部２８の表示の様子を示しており、右側には読み込んだ画像を示している。表示部２８の大きさは機器によって異なり、読み込む画像との大きさの関係は必ずしも図５に示すようなものになるとは限らない。表示部２８のアスペクト比は本実施形態においては４：３であるとするがアスペクト比についても図５のようになるわけではない。また、読み込む画像の大きさも大小関係を示すために目安として描いたものであり、サムネイル用や表示用のＪＰＥＧ画像の大きさは図５に示すような大きさの関係に正確になるわけではない。
【００２７】
Ｓ３０５では、システム制御部５０は、次の画像のサムネイルＪＰＥＧ画像、表示用のＪＰＥＧ画像、センサフルサイズのＪＰＥＧ主画像のそれぞれのアスペクト比と、ヘッダー情報領域にあるアスペクト比を取得する。
【００２８】
サムネイルＪＰＥＧ画像のアスペクト比は図４（ａ）、（ｂ）のサムネイル画像領域４０４〜４０５に関する情報を、ヘッダー情報領域を確認することにより取得することができる。サムネイルＪＰＥＧ画像はＤＣＦ（Ｄｅｓｉｇｎ  ｒｕｌｅ  ｆｏｒ  Ｃａｍｅｒａ  Ｆｉｌｅ  ｓｙｓｔｅｍ）再生機器での互換のため、画素数を横１６０画素／縦１２０画素のアスペクト比４：３のＪＰＥＧ圧縮画像としている。サムネイル画像領域には画像を高速に表示するために用いられるサムネイルＪＰＥＧ画像が含まれている。図４（ａ）のサムネイル画像領域４０４のサムネイルＪＰＥＧ画像４０４ａでは、サムネイルＪＰＥＧ画像のうち、横１６０画素／縦１０６画素を有効な３：２の領域（有効領域）とし、それ以外の画素の領域を追加して（付帯領域）黒で塗りつぶしている。サムネイルＪＰＥＧ画像４０４ｂでは有効な領域を１：１としている。サムネイルＪＰＥＧ画像４０４ａはサムネイルを３：２で表示する時のため、サムネイルが画像４０４ｂはアスペクト比である１：１で表示するためのものである。サムネイルＪＰＥＧ画像は、本実施形態ではＲＡＷ画像のセンサアスペクト比に基づいて表示することとするが、設定されたアスペクト比に基づいて表示することもあるので１：１のアスペクト比のサムネイルが記録されていることもある。図４（ａ）に示す画像ファイルａにあるサムネイルＪＰＥＧ画像のアスペクト比は３：２と１：１、図４（ｂ）に示す画像ファイルｂにあるサムネイルＪＰＥＧ画像のアスペクト比は共に３：２となる。
【００２９】
表示ＪＰＥＧのアスペクト比は図４（ａ）、（ｂ）の表示用画像領域４０７〜４０８に関する情報を、ヘッダー情報領域を確認することにより取得することができる。表示用画像領域４０７〜４０８にはそれぞれフルサイズ（３：２）のＪＰＥＧ主画像（４０７ａ、４０８ａ）と、表示用のＪＰＥＧ画像（４０７ｂ、４０８ｂ）がある。センサフルサイズのＪＰＥＧ主画像は横３０００画素／縦２０００画素で、表示用のＪＰＥＧ画像４０７ｂは横１０８０画素／縦１０８０画素（１：１）で、表示用のＪＰＥＧ画像４０８ｂは横１６２０画素／縦１０８０画素（３：２）で記録されている。表示用のＪＰＥＧ画像は、サムネイルＪＰＥＧ画像よりサイズが大きい（画素数が大きい）が表示部２８の解像度には適して（表示される画像の解像度がフルサイズＪＰＥＧ画像より低くなるがサムネイルより良い）おり、画像に何か含まれているかは確認できる。つまり、サイズがフルサイズＪＰＥＧ画像よりも小さいので、表示用のＪＰＥＧ画像はフルサイズＪＰＥＧ画像を表示するよりも高速に表示の読み込み、すなわち切り替えができる。図４（ａ）に示す画像ファイルａの場合には表示用のＪＰＥＧ画像のアスペクト比は１：１、図４（ｂ）に示す画像ファイルｂの場合には表示用のＪＰＥＧ画像のアスペクト比は３：２となる。設定されたアスペクト比は、ヘッダー情報領域より取得可能であり、図４（ａ）に示す画像ファイルａの場合にも、図４（ｂ）に示す画像ファイルｂの場合にもアスペクト比は１：１とする。
【００３０】
Ｓ３０６では、システム制御部５０は、Ｓ３０５で取得した表示用のＪＰＥＧ画像のアスペクト比がセンサフルサイズであるＪＰＥＧ主画像のアスペクト比と同じであるか、すなわち３：２であるか否かを判定する。画像ファイルａの場合は表示用のＪＰＥＧ画像とセンサフルサイズのアスペクト比は異なり、画像ファイルｂの場合は同じとなる。表示用のＪＰＥＧ画像のアスペクト比がセンサフルサイズのアスペクト比と同じであると判定した場合は、Ｓ３０７へ進み、そうでない場合は、Ｓ３０８に進む。なお、Ｓ３０６においては、表示用のＪＰＥＧ画像のアスペクト比とヘッダー情報領域にある画像を記録した撮像部のアスペクト比と比較してもよいし、ＲＡＷ画像領域にあるＲＡＷ画像本体のアスペクト比と比較してもよい。
【００３１】
Ｓ３０７では、システム制御部５０は、ＲＡＷの画像ファイルから表示用のＪＰＥＧ画像を読み込む。Ｓ３０７の処理は、Ｓ３０６においてＹｅｓ、すなわちＲＡＷ画像の表示用のＪＰＥＧ画像がセンサフルサイズのＪＰＥＧ主画像（センサフルサイズのアスペクト比）と同じアスペクト比の場合の処理である。図４（ｂ）であれば画像ファイルｂの表示用のＪＰＥＧ画像４０８ｂを読み込む。言い換えると、Ｓ３０６でＹｅｓとなりＳ３０７に来た時には、図５（ａ）に示すようなアスペクト比３：２の表示用のＪＰＥＧ画像５０１（右側の画像）を読み込み、後述Ｓ３１６において表示部２８の大きさに合わせて画像５０２（左側の画像）を表示する。タッチムーブに応じて画像を表示する際に、タッチ位置の移動量に応じてＳ３０７またはＳ３０８において表示する画像の割合を変える。即ち、表示部２８の端から徐々に読み込んだ画像が表示されていき、タッチ位置の移動量が大きくなるほど表示部２８における次の画像が表示される割合が増していく。後述するＳ３０８でも同様に次の画像の表示をしていく。
【００３２】
Ｓ３０８では、システム制御部５０は、次の画像の画像ファイルのサムネイルＪＰＥＧ画像を読み込む。つまり、図５（ｃ）に示すように、アスペクト比３：２のサムネイルＪＰＥＧ画像５０５（右側の画像）を読み込み、後述するＳ３１６において表示部２８の大きさに合わせて画像５０６を表示する（左側の画像）。Ｓ３０８の処理は、Ｓ３０６においてＮｏと判定された場合の処理なので、ＲＡＷ画像で表示用のＪＰＥＧ画像がセンサフルサイズのアスペクト比と同じではないと判定された場合である。表示用のＪＰＥＧ画像は素早く表示できるが、そのまま表示すると、例えば図４（ａ）のようにアスペクト比が１：１である場合には、ユーザが１：１の画像が表示されるので記録されている画像のアスペクト比も１：１と誤って認識する可能性がある。つまり、本当はＲＡＷ画像でセンサフルサイズの画像が記録されているのに、ＪＰＥＧ画像のように設定されたアスペクト比で画像が表示されているのでユーザがＪＰＥＧ画像であると誤解してしまう可能性がある。しかしながら、センサフルサイズのＪＰＥＧ主画像のアスペクト比は３：２であるので表示しようとすると、画素数が大きすぎるため読み込みに時間がかかってしまい、表示用のＪＰＥＧ画像のように操作の開始と共に素早く表示できない。３：２のＲＡＷ画像のセンサフルサイズのアスペクト比と同じであるサムネイルＪＰＥＧ画像であれば、画素数も少ないためセンサフルサイズのＪＰＥＧ主画像より素早く表示できる。よって、表示の速度を低減させることなく切り替え途中に画像をセンサのアスペクト比を保ったまま表示することができる。サムネイルＪＰＥＧ画像の画質は表示用のＪＰＥＧ画像よりも低くなるが、タッチ操作による画像送り中は、タッチ位置を動かしたらすぐに次の画像が見え始めた方がユーザはタッチ操作が効いているとすぐにわかるので（直感的に操作できる）操作性が向上する。このように、Ｓ３０６とＳ３０８では表示用のＪＰＥＧ画像のアスペクト比に応じて画像の切替途中に表示する画像の読み込み先を変えることで、撮像部のセンサフルサイズのアスペクト比の画像を素早く表示し、画像の切り替えの操作性を良くする。よってユーザはタッチ操作でＲＡＷ画像（の画像ファイル）へと画像切り替えをする際に、ＲＡＷ画像として記録されていることをすぐに確認することができる。
【００３３】
Ｓ３０９では、システム制御部５０は、主画像の読み込みを開始する。画像ファイルａの場合にはセンサフルサイズのＪＰＥＧ主画像４０７ａ、画像ファイルｂの場合にはセンサフルサイズのＪＰＥＧ主画像４０８ａ、画像ファイルｃの場合にはセンサフルサイズのＪＰＥＧ主画像４１０ａを読み込む。センサフルサイズのＪＰＥＧ主画像４０７ａ、４０８ａは３：２のセンサフルサイズのアスペクト比のＪＰＥＧ画像であり、センサフルサイズのＪＰＥＧ主画像４１０ａは１：１の設定されたアスペクト比に応じた画像である。ＲＡＷ画像の場合には設定されたアスペクト比に関わらず、主画像はセンサフルサイズのアスペクト比と同一となる。ＪＰＥＧ画像の場合には、設定されたアスペクト比で主画像が表示される。次の画像がＲＡＷ画像の場合には、図５（ｄ）に示すようにセンサフルサイズのアスペクト比である３：２のセンサフルサイズのＪＰＥＧ主画像５０７（右側の画像）を読み込み、Ｓ３１６で表示部２８の大きさに合わせて画像５０８（左側の画像）表示する。次の画像がＪＰＥＧ画像の場合は、図５（ｅ）に示すように設定されたアスペクト比である１：１のセンサフルサイズのＪＰＥＧ主画像５０９（右側の画像）を読み込み、Ｓ３１６で表示部２８の大きさに合わせて画像５１０（左側の画像）表示する。なお、Ｓ３０９における主画像の読み込みは、表示用画像領域からではなく、ＲＡＷ画像領域にあるＲＡＷ画像自体を現像して表示をしてもよい。
【００３４】
Ｓ３１０では、システム制御部５０は、読み込んだ画像がＲＡＷ画像であるか否かを判定する。ＲＡＷ画像であるか否かは、各画像ファイルのヘッダー情報領域を参照することにより分かる。読み込んだ画像がＲＡＷ画像であると判定した場合は、Ｓ３１１へ進み、そうでない場合は、Ｓ３１３へ進む。
【００３５】
Ｓ３１１では、システム制御部５０は、撮影時に設定されたアスペクト比がセンサフルサイズのアスペクト比と同じであるか否かを判定する。撮影時に設定されたアスペクト比がセンサフルサイズのアスペクト比と同じであると判定するとＳ３１３へ進み、そうでない場合は、Ｓ３１２へ進む。
【００３６】
Ｓ３１２では、システム制御部５０は、設定されたアスペクト比を示す線を生成する。ＲＡＷ画像であり設定されたアスペクト比とは異なるアスペクト比（センサフルサイズのアスペクト比）で画像を表示している場合には、ユーザの設定していたアスペクト比が分かるように線を生成して画像に重畳して表示する。Ｓ３１０でＮＯすなわちＪＰＥＧ画像である場合、Ｓ３１１でＹｅｓすなわちセンサフルサイズのアスペクト比と同じアスペクト比に設定されていた場合には線は表示しないので線を生成しない。Ｓ３１２で生成した線とＳ３０９で読み込んだ主画像とを重畳して、Ｓ３１６において図５（ｆ）に示すように画像５１１（３：２のアスペクト比）と線５１１ａ、５１１ｂ（１：１の範囲を示す）を表示できるようにする。
【００３７】
Ｓ３１３では、システム制御部５０は、Ｓ３０４、Ｓ３０７、Ｓ３０８、Ｓ３０９で読み込んだＪＰＥＧ画像をデコードする。
【００３８】
Ｓ３１４では、システム制御部５０は、表示部２８のサイズに合うようにＳ３１３でデコードした画像をリサイズする。サムネイルＪＰＥＧ画像のように上下に無効領域のある場合には、無効領域（黒色領域）を削除し、縦１６０画素／横１０６画素の３：２のアスペクト比にした後にリサイズ処理をする。
【００３９】
Ｓ３１５では、システム制御部５０は、Ｓ３１４においてリサイズした画像をメモリ３２に展開をして表示できるようにする。
【００４０】
Ｓ３１６では、システム制御部５０は、Ｓ３１５において展開した画像を表示部２８に表示する。十字キー７４やコントローラホイール７３によって画像の切り替えをする場合には、切替指示があると図５（ａ）〜（ｃ）に示すような画像を挟まずに図５（ｄ）〜（ｆ）に示すような画像に切り替わる。一方で、タッチ操作によって画像の切り替えをする場合には図５（ａ）〜（ｃ）のような画像を途中で表示してから図５（ｄ）〜（ｆ）といった主画像を表示する。図５（ｇ）はタッチ操作によって画像を切り替える際の表示部２８の様子を示したものであり、画像５１２は切り替え前の画像、画像５１３は切り替え後の画像を示している。画像５１２を表示した状態から右方向へタッチムーブをしている様子を示している。次に表示される画像がＲＡＷ画像であり、表示用のＪＰＥＧ画像のアスペクト比がセンサアスペクト比と同じ場合には、画像５１３は表示用のＪＰＥＧ画像に基づいて表示したものとなる。また、次に表示される画像がＲＡＷ画像であり、表示用のＪＰＥＧ画像のアスペクト比がセンサフルサイズのアスペクト比と異なる場合には、画像５１３はサムネイルＪＰＥＧ画像に基づいて表示したものとなる。タッチが離されると、画像５１３から主画像に基づく表示へと切り替わり、画像の解像度が向上する。
【００４１】
Ｓ３１７では、システム制御部５０は、画像の再生処理を終了するか否かを判定する。画像の再生処理は、電源のＯＦＦ、メニュー画面への遷移、撮影モードへの遷移により終了する。画像の再生処理を終了すると判定した場合は、画像の再生処理を終了し、そうでない場合は、Ｓ３００に戻る。
【００４２】
以上、説明した実施形態によれば、ＲＡＷ画像の切り替え時に、表示用として記録されている画像のアスペクト比に関わらず、同じアスペクト比で画像切り替えを素早く行うことができる。
【００４３】
なお、本実施形態では静止画として説明をしたが、動画に関しても画像送りの際に先頭フレームの画像を用いて同様の処理を行ってもよい。
【００４４】
また、本実施形態ではタッチ操作で画像送り操作を行う場合に、画像送り途中の画像の読み込み先を変えることを説明したが、タッチ操作でなくても所定量以上の操作で画像を切り替えるようなジェスチャー操作等でもよい。ボタン操作であってもアニメーションを用いて表示をするような場合や、表示部２８の端から徐々に次の画像を表示していくような場合にも適用可能である。
【００４５】
また、本実施形態で説明した図４の画像ファイルａと画像ファイルｂとは異なる撮像制御装置によって作成されたものであっても、同じ撮像制御装置によるものでもよい。ただし、画像ファイルａは表示用のＪＰＥＧ画像をユーザ設定のアスペクト比にトリミングして記録する撮像制御装置により記録されたものであり、画像ファイルｂはＲＡＷ画像のアスペクト比のまま記録する撮像制御装置により記録されたものである。
【００４６】
なお、システム制御部５０が行うものとして説明した上述の各種の制御は１つのハードウェアが行ってもよいし、複数のハードウェアが処理を分担することで、装置全体の制御を行ってもよい。
【００４７】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００４８】
また、上述した実施形態においては、本発明をデジタルカメラ１００に適用した場合を例にして説明したが、これはこの例に限定されず、ＲＡＷ画像として記録された画像の画像送りをすることができるような表示制御装置であれば適用可能である。即ち、本発明はパーソナルコンピュータ（ＰＣ）や、携帯電話端末や携帯型の画像ビューワ、デジタルフォトフレーム、音楽プレーヤー、ゲーム機、電子ブックリーダー、タブレットＰＣ、スマートフォン、投影装置、表示部を有する家電装置等に適用可能である。また、デジタルカメラ等で撮影したライブビュー画像を有線または無線通信を介して受信して表示するようなスマートフォンやタブレットＰＣ、デスクトップＰＣなどの装置にも適用可能である。
【００４９】
（他の実施形態）
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【図１】
0006685853.tif 000002
【図２】
0006685853.tif 000003
【図３】
0006685853.tif 000004
【図４】
0006685853.tif 000005
【図５】
0006685853.tif 000006